(57)【要約】      （修正有）【課題】トートバッグの広い開口部を覆って、収容物を見えなくしたり、落下を防止するカバーを提供する。【解決手段】カバー１は、左右一対のカバー部材１１，１２で構成される。カバー部材１１，１２は、左右の持ち手（把手）２７，２８の両側の付け根部分（基端部）２７１，２７２；２８１，２８２に、リングなどの係止部材１１３，１１４；１２３，１２４を引っ掛けて、それをトートバッグ２の内側に引込み（垂らし）、その係止部材に基板（芯材）をぶら下げ、クリップ１１５，１２５で固定し、前記基板の先端には開口部２９を覆うフラップを取付ける。したがって、トートバッグの開口部を覆うカバーを、後付けで取付けることができ、使用者のバッグの選択の幅を拡げることができる。【選択図】図２
2020146343.tif 000002
【特許請求の範囲】
【請求項１】
トートバッグの開口部を覆うカバーにおいて、
左右の持ち手にそれぞれ係止される係止部材と、
前記左右両側の係止部材に一端がそれぞれ接続され、前記バッグの内側の両壁面に沿う一対の基板と、
前記基板の他端に一端が連結される一対のフラップとを備えて構成されることを特徴とするトートバッグの開口部カバー。
【請求項２】
前記基板を前記開口部の辺縁に固定するクリップを備えることを特徴とする請求項１記載のトートバッグの開口部カバー。
【請求項３】
前記係止部材は、前記持ち手に引っ掛けられるチューブと、前記基板に形成された孔から前記チューブの内部を挿通し、締結される結束バンドとを備えて構成されることを特徴とする請求項１または２記載のトートバッグの開口部カバー。
【請求項４】
前記チューブは透明に形成され、その内部には複数のビーズ玉が配置され、前記結束バンドは前記ビーズ玉の孔を挿通していることを特徴とする請求項３記載のトートバッグの開口部カバー。
【請求項５】
前記基板の一端は、前記開口部を超えて帯状に外部に露出し、
前記係止部材は、前記基板の前記露出した部分に、前記持ち手を挟み込んで貼付く帯状体から成ることを特徴とする請求項１記載のトートバッグの開口部カバー。
【請求項６】
前記帯状体には、帯の幅に一致するリボンによる装飾が施されていることを特徴とする請求項５記載のトートバッグの開口部カバー。
【請求項７】
前記持ち手における前記開口部の上方部分には、シリコン樹脂製のシートが巻付けられ、該シートが前記基板と帯状体との間に介在されて、それらを接着する接着剤から前記持ち手を隔離することを特徴とする請求項５または６記載のトートバッグの開口部カバー。
【請求項８】
前記フラップは、布から成ることを特徴とする請求項１〜７の何れか１項に記載のトートバッグの開口部カバー。
【請求項９】
前記フラップの先端には、該先端同士を連結する係合部材が設けられていることを特徴とする請求項８記載のトートバッグの開口部カバー。
【請求項１０】
前記係合部材は、磁石であることを特徴とする請求項９記載のトートバッグの開口部カバー。
【請求項１１】
前記基板は、網目で形成されることを特徴とする請求項１〜１０の何れか１項に記載のトートバッグの開口部カバー。
【請求項１２】
前記基板の他端には、アクセサリーのフック孔が形成されることを特徴とする請求項１〜１１の何れか１項に記載のトートバッグの開口部カバー。
【請求項１３】
前記基板には、着脱自在の袋を増結可能であり、該袋はバッグの開口部を超えて外部に垂下することを特徴とする請求項１〜１２の何れか１項に記載のトートバッグの開口部カバー。
【請求項１４】
前記着脱自在の袋は、雨傘入れであることを特徴とする請求項１３記載のトートバッグの開口部カバー。
【請求項１５】
前記請求項１〜１４の何れか１項に記載の開口部カバーを備えることを特徴とするトートバッグ。
【発明の詳細な説明】
【技術分野】
【０００１】
本発明は、トートバッグの広い開口部を覆い、収容物を見えなくしたり、落下を防止したりするためのカバーおよびそれを備えるトートバッグに関する。
【背景技術】
【０００２】
上記のような目的で、トートバッグには、その開口部を覆うカバーが、一定の需要があるものと思われる。そこで、典型的な従来技術は、特許文献１で示されている。その特許文献１は、蓋（カバー）の板を設けるためのファスナーが開口部周縁に縫い付けられており、必要に応じて、蓋（カバー）の板を嵌め込み、ファスナーを閉めることで、該蓋（カバー）の板を取付けられるようになっている。
【０００３】
また、特許文献２は、トートバッグの開口部に巾着袋のように開口部を絞る巾着部が縫い付けられている。特許文献３は、バッグの開口部に一対の蓋布片を縫付け、その蓋布片の遊端に小さな磁石を取付けておくことで、容易、かつ部分的に開閉可能なバッグが示されている。
【先行技術文献】
【特許文献】
【０００４】
【特許文献１】特開２０１７−５１２３１号公報
【特許文献２】登録実用新案第３１９６９０５号公報
【特許文献３】特開２０１８−３８５９６号公報
【発明の概要】
【発明が解決しようとする課題】
【０００５】
上述の従来技術は、蓋（カバー）や巾着部が予め開口部周縁に縫付けられた専用のバッグである。したがって、蓋（カバー）や巾着部が美観を損ねる可能性があるとともに、特に特許文献１では、開口部の頂部に板状の蓋（フラップ）が設けられるので、収容物の収容量は大きく損なわれないものの、蓋（フラップ）の有無によって印象が大きく異なる。
【０００６】
一方、バッグの購入動機の第１番は、デザインで、以下、機能性や価格などが挙げられる。したがって、そのような専用のバッグではなく、使用者が、たとえばデザイン重視で購入してしまった任意のバッグに、そのようなカバーを後付けすることはできない。
【０００７】
本発明の目的は、任意のトートバッグに、その開口部を覆うことができるカバーを後付けすることができるトートバッグの開口部カバーおよびそれを備えるトートバッグを提供することである。
【課題を解決するための手段】
【０００８】
本発明のトートバッグの開口部カバーは、トートバッグの開口部を覆うカバーにおいて、左右の持ち手にそれぞれ係止される係止部材と、前記両側の係止部材に一端がそれぞれ接続され、前記バッグの内側の両壁面に沿う一対の基板と、前記基板の他端に一端が連結される一対のフラップとを備えて構成されることを特徴とする。
【０００９】
上記の構成によれば、トートバッグの広い開口部を覆い、収容物を見えなくしたり、収容物の落下を防止したりするためのカバーにおいて、左右の持ち手（把手）の両側の開口の上部の部分に、リングなどの係止部材を係止して、それをバッグの内側に引込み（垂らし）、その係止部材に基板（芯材）をぶら下げ、さらにその基板の先端に、前記開口部を覆うフラップを取付ける。そうすると、バッグが使用者の手に持たれたり、肩に掛けられたりすると、基板はバッグの内側の両壁面に沿って起立し、その先端から延びた一対のフラップが前記収容物の上面を覆う。
【００１０】
したがって、トートバッグの開口部を覆うカバーを、持ち手（把手）に後付けするだけで取付けることができ、使用者のバッグの選択の幅を拡げることができる。また、収容可能な収容物の量は、若干、少なくなるものの、フラップは基板によってバッグの開口部から１段沈んだ位置に設けられることになるので、バッグの美観を大きく損なうこともない。
また、本発明のトートバッグの開口部カバーでは、前記基板を前記開口部の辺縁に固定するクリップを備えることを特徴とする。
【００１１】
上記の構成によれば、基板をリングなどの係止部材で持ち手（把手）から吊るしただけでは、該基板がばたつき、フラップを引張ってフラップが開いてしまう可能性がある。そこで、該基板をクリップでバッグの側壁に固定しておくことで、そのような不具合を抑え、フラップの締め切った状態を保つことができる。
【００１２】
さらにまた、本発明のトートバッグの開口部カバーでは、前記係止部材は、前記持ち手に引っ掛けられるチューブと、前記基板に形成された孔から前記チューブの内部を挿通し、締結される結束バンドとを備えて構成されることを特徴とする。
【００１３】
上記の構成によれば、結束バンドの締結によって、簡単に、該カバーをトートバッグに後付けすることができる。また、結束バンドだけでも持ち手に基板をぶら下げることは可能になるが、持ち手を傷付けたり、バッグの美観を大きく損なうので、該結束バンドにチューブを被せておくことで、そのような美観の低下を抑え、或いは、場合によっては美観を向上することができる。
【００１４】
また、本発明のトートバッグの開口部カバーでは、前記チューブは透明に形成され、その内部には複数のビーズ玉が配置され、前記結束バンドは前記ビーズ玉の孔を挿通していることを特徴とする。
【００１５】
上記の構成によれば、装飾性を向上することができる。
【００１６】
さらにまた、本発明のトートバッグの開口部カバーでは、前記基板の一端は、前記開口部を超えて帯状に外部に露出し、前記係止部材は、前記基板の前記露出した部分に、前記持ち手を挟み込んで貼付く帯状体から成ることを特徴とする。
【００１７】
上記の構成によれば、基板を少し長く（高く）、開口部を超えて帯状に外部に露出するように形成しておき、その部分に、反対側（外側）から、テープのような帯状体を当て、両者を粘着させる。
【００１８】
したがって、その粘着した間に、前記持ち手（把手）の両側の付け根部分（基端部）が挟み込まれ、こうして基板を持ち手の付け根部分に簡単に取付けることができる。また、基板が持ち手からズレ難く、壊れ難く、外部に対しても安全で（何処かに引っ掛かったりと言うような不具合もなく）、トートバッグの開口部を覆うと言う所期の機能を確実に果たすことができる。
【００１９】
また、本発明のトートバッグの開口部カバーでは、前記帯状体には、帯の幅に一致するリボンによる装飾が施されていることを特徴とする。
【００２０】
上記の構成によれば、帯状体は、バッグの開口部の上側に、一定の幅で飛出していることになる。そこで、美観のために、この帯の部分に幅の一致するリボンを用い、装飾を行う。
【００２１】
したがって、トートバッグの開口部を覆うカバーを後付けしても、バッグの美観を損なったり、違和感を与えたりすることを防止することができ、場合によっては、単体のバッグよりも商品価値を向上することができる。
【００２２】
さらにまた、本発明のトートバッグの開口部カバーでは、前記持ち手における前記開口部の上方部分には、シリコン樹脂製のシートが巻付けられ、該シートが前記基板と帯状体との間に介在されて、それらを接着する接着剤から前記持ち手を隔離することを特徴とする。
【００２３】
上記の構成によれば、基板と帯状体とが、それらの間に持ち手を挟み込んで接着剤で相互に貼付いて持ち手に固定されるにあたって、持ち手にはシリコン樹脂製のシートを巻付けておく。
【００２４】
したがって、基板および帯状体と持ち手とが、直接貼付かないようにすることができ、接着剤で持ち手を汚さず、外せば、トートバッグを取付け前の状態に戻すことができ、またシリコンシートの摩擦力で、基板および帯状体が持ち手から滑らない（ズレない）ようにすることもできる。
【００２５】
また、本発明のトートバッグの開口部カバーでは、前記フラップは、布から成ることを特徴とする。
【００２６】
上記の構成によれば、フラップを収容物上面の凹凸に沿わせることができるとともに、板で形成した場合に、特に収容物が少ない場合のように、バッグの幅方向に突っ張ったりすることもなく、使用感を悪化させることが無い。
【００２７】
さらにまた、本発明のトートバッグの開口部カバーでは、前記フラップの先端には、該先端同士を連結する係合部材が設けられていることを特徴とする。
【００２８】
上記の構成によれば、フラップの先端は、完全に突き合わさった状態に限らず、一部が上下に重なったり、一部の収容物が露出するような完全に閉まっていない状態であってもよい。つまり、バッグの収容物が、大方、見えなくなれば、本発明の所期の目的を達成することができる。
【００２９】
しかしながら、フラップを、その先端に磁石や面ファスナーなどの係合部材を設けて完全に突き合わせで締め切ることで、見場が良くなるとともに、収容物の落下もより確実に防止することができる。
【００３０】
また、本発明のトートバッグの開口部カバーでは、前記係合部材は、磁石であることを特徴とする。
【００３１】
上記の構成によれば、フラップの開閉が容易であり、片手で開け閉めを行うことができる。
【００３２】
さらにまた、本発明のトートバッグの開口部カバーでは、前記基板は、網目で形成されることを特徴とする。
【００３３】
上記の構成によれば、網戸などの網を、特に何層か積層することで、基板としての剛性を発揮させることができるとともに、布などから成るフラップを、針の孔などを形成すること無く、そのまま縫い付けたりすることができる。
【００３４】
また、本発明のトートバッグの開口部カバーでは、前記基板の他端には、アクセサリーのフック（鈎）孔が形成されることを特徴とする。
【００３５】
上記の構成によれば、キーホルダーなどのアクセサリーをフック（鈎）孔に通しておくことで、該アクセサリーがバッグの底に潜り込んだりすることが無くなり、容易に捜し出すことができる。
【００３６】
さらにまた、本発明のトートバッグの開口部カバーでは、前記基板には、着脱自在の袋を増結可能であり、該袋はバッグの開口部を超えて外部に垂下することを特徴とする。
【００３７】
上記の構成によれば、雨傘などのバッグ内の収容物と一緒にしては問題のある物品を、必要に応じて、バッグの外部で保持することができ、好適である。
【００３８】
また、本発明のトートバッグの開口部カバーでは、前記着脱自在の袋は、雨傘入れであることを特徴とする。
【００３９】
上記の構成によれば、雨傘をバッグの中に入れず、外で保持することができ、利便性を向上することができる。
【００４０】
さらにまた、本発明のトートバッグは、前記の開口部カバーを備えることを特徴とする。
【００４１】
上記の構成によれば、トートバッグに上記の開口部カバーを備えることで、トートバッグの商品価値を向上することができる。また、カバーを別部品とするのではなく、始めからバッグに付いていることで、量産効果によって該カバーのコストダウンも図ることができる。
【発明の効果】
【００４２】
本発明のトートバッグの開口部カバーおよびそれを備えるトートバッグは、以上のように、トートバッグの広い開口部を覆い、収容物を見えなくしたり、収容物の落下を防止したりするためのカバーにおいて、左右の持ち手（把手）に、リングなどの係止部材を係止して、それをバッグの内側に引込み（垂らし）、その係止部材に基板（芯材）をぶら下げ、さらにその基板の先端に、前記開口部を覆うフラップを取付けるので、バッグが使用者の手に持たれたり、肩に掛けられたりすると、基板はバッグの内側の両壁面に沿って起立し、その先端から延びた一対のフラップが前記収容物の上面を覆う。
【００４３】
それゆえ、トートバッグの開口部を覆うカバーを、後付けで取付けることができ、使用者のバッグの選択の幅を拡げることができる。
【図面の簡単な説明】
【００４４】
【図１】本発明の実施の一形態に係るトートバッグの開口部カバーの斜視図である。
【図２】前記カバーをトートバッグに取付けた状態を示す斜視図である。
【図３】前記カバーを他のトートバッグに取付けた状態を示す斜視図である。
【図４】前記カバーにおける係止部材の構造を示す分解斜視図である。
【図５】前記カバーの他の使用例を説明するための斜視図である。
【図６】本発明の実施の他の形態に係るトートバッグの開口部カバーの斜視図である。
【図７】図６のカバーの他の使用例を説明するための一部分の斜視図である。
【発明を実施するための形態】
【００４５】
（実施の形態１）
図１は本発明の実施の一形態に係るトートバッグの開口部カバー（以下、カバーと言う）１の斜視図であり、図２はそのカバー１をトートバッグ２に取付けた状態を示す斜視図である。トートバッグ２は、布や皮などの比較的軟らかい生地を縫製して成るバッグ本体２０に、左右の持ち手（把手）２７，２８を取付けて構成される。
【００４６】
バッグ本体２０は、広い開口部２９を有し、たとえば直方体の一面を開放したような形状に形成される。したがって、本体２０は、左右の側壁２１，２２と、前後の側壁２３，２４と、底部２５とを備えて構成される。トートバッグ２としては、前後の側壁２３，２４や底部２５が明確でない、つまりマチの無いものであってもよく、開口部２９が広く、左右の側壁２１，２２に、一対の持ち手２７，２８が取付けられていればよい。持ち手２７，２８は、使用者の手に持たれたり、肩に掛けられたりする。図２の例では、持ち手２７，２８は、断面が円形で、開口部２９の辺縁に、上下に並ぶ２箇所の鋲２６によって取付けられている。
【００４７】
このように構成されるトートバッグ２は、開口部２９が広いので、収容物が見え易い。また、収容物が多いときには、こぼれ落ちる可能性もある。そこで、使用者が気に入ったデザインのトートバッグ２を購入後に、バック本来のデザインを損なうことのないような、機能的で美しいカバーが望まれている。また、取付けたとしても、必要に応じてカバーを外して、すっきりと本来の美しさを魅せたいと言う希望がある。そこで、本実施形態のカバー１が、開口部２９を覆うために用いられる。
【００４８】
本実施形態のカバー１は、左右の持ち手２７，２８にそれぞれ取付けられる一対のカバー部材１１，１２を備えて構成される。カバー部材１１，１２は、基板１１１，１２１と、フラップ１１２，１２２と、係止部材１１３，１１４；１２３，１２４と、クリップ１１５，１２５とを備えて構成される。
【００４９】
係止部材１１３，１１４；１２３，１２４は、リング状で、左右の持ち手２７，２８の両側の付け根部分（基端部）２７１，２７２；２８１，２８２に、それぞれ引っ掛けられる（係止される）。引っ掛けられた係止部材１１３，１１４；１２３，１２４をバッグ２の内側に引込み（垂らし）、基板（芯材）１１１，１２１がぶら下げられる。そのため、基板１１１，１２１の一端部１１１１，１２１１には、各係止部材１１３，１１４；１２３，１２４に対応する一対の孔１１１３，１２１３が穿設されており、孔１１１３，１２１３に係止部材１１３，１１４；１２３，１２４が通される。したがって、バッグ１が使用者の手に持たれたり、肩に掛けられたりすると、図２で示すように、基板１１１，１２１が、左右の側壁２１，２２の内側の壁面に沿って起立する。基板１１１，１２１の他端部１１１２，１２１２には、収容物の上面を覆うフラップ１１２，１２２の一端部１１２１，１２２１が連結される。
【００５０】
したがって、係止部材１１３，１１４；１２３，１２４を持ち手２７，２８の付け根部分２７１，２７２；２８１，２８２に引っ掛けるだけで、トートバッグ２の開口部２９を覆うカバー１を、後付けで取付けることができ、使用者のバッグの選択の幅を拡げることができる。また、収容可能な収容物の量は、若干、少なくなるものの、フラップ１１２，１２２は、図２で示すように、基板１１１，１２１によってバッグ２の開口部２９から１段沈んだ位置に設けられることになるので、バッグ２の美観を大きく損なうこともない。基板１１１，１２１およびフラップ１１２，１２２は、材質や色が複数準備されていて、使用者がバッグ２に合わせて選択するようにしてもよい。
【００５１】
また、本実施形態のカバー１では、基板１１１，１２１を開口部２９の辺縁に固定するクリップ１１５，１２５が設けられている。これは、基板１１１，１２１をリングなどの係止部材１１３，１１４；１２３，１２４で持ち手２７，２８から吊るしただけでは、該基板１１１，１２１がばたついて、フラップ１１２，１２２を引張ってしまい、該フラップ１１２，１２２が開いてしまう可能性があるためである。そこで、該基板１１１，１２１をクリップ１１５，１２５でバッグ２の側壁２１，２２に固定しておくことで、そのような不具合を抑え、フラップ１１２，１２２の締め切った状態を保つことができる。このクリップ１１５，１２５も、幅や色の異なる物が複数種類準備されていてもよい。
【００５２】
ここで、図２の例では、持ち手２７，２８は、開口部２９の辺縁に取付けられている。一方、トートバッグ２において、持ち手２７，２８の取付きには色々あり、持ち手２７，２８の動きの自由度を高めたり、或いは意匠的に長い持ち手２７，２８を見せるために等の理由で、図３のトートバッグ２ａで示すように、持ち手２７ａ，２８ａが、上下方向の中央部付近に取付けられることもある。トートバッグ２ａは、持ち手２７ａ，２８ａの取付き以外は、トートバッグ２と同一である。このような場合、使用者が保持していない持ち手２７ａ，２８ａは、外側に倒れ易い。そこで、図３で示すように、前記のクリップ１１５，１２５を、各側壁２１，２２に複数個使用しもよい。
【００５３】
これによって、持ち手２７ａ，２８ａの倒れを抑えることができ、倒れによって、係止部材１１３，１１４；１２３，１２４から、基板１１１，１２１およびフラップ１１２，１２２までが開口部２９より外側に引張り出されてしまうことを抑えることができる。また、持ち手２７ａ，２８ａの取付き部分が裂けたり（破れたり）することも、抑えることができる。
【００５４】
さらにまた、本実施形態のカバー１では、フラップ１１２，１２２は、布から成る。そうすることで、収容物上面の凹凸に沿わせることができるとともに、特許文献１のように板で形成し、特に収容物が少ない場合は、バッグ２の幅方向に突っ張ってしまうのに対して、そのようなこともなく、使用感を悪化させることが無い。
【００５５】
また、本実施形態のカバー１では、フラップ１１２，１２２の他端（先端）部１１２２，１２２２には、該先端同士を連結する係合部材１１６，１２６が設けられている。これは、フラップ１１２，１２２の先端は、完全に突き合わさった状態に限らず、一部が上下に重なったり、一部の収容物が露出するような完全に閉まっていない状態であっても、重大な問題にはならないためである。つまり、バッグ２の収容物が、大方、見えなくなれば、本発明の所期の目的を達成することができる。しかしながら、フラップ１１２，１２２を、その先端に係合部材１１６，１２６を設けて完全に突き合わせで締め切ることで、見場が良くなるとともに、収容物の落下もより確実に防止することができる。
【００５６】
さらに、係合部材１１６，１２６には、面ファスナー、釦、或いは紐で形成したリングと、そのリングに嵌める玉との組合わせなども使用可能である。しかしながら、係合部材１１６，１２６は、磁石であることが好ましい。その場合、係合部材１１６，１２６が、磁石同士で無くてもよく、磁力が強い場合は、一方は磁石、他方は、それが吸着する金属であってもよい。従来技術のファスナーは閉め難いのに対して、このように磁石を使用することで、フラップ１１２，１２２の開閉が容易であり、片手で開け閉めを行うことができるようになり、或いは勝手に閉まるようになり、便利である。
【００５７】
図４は、係止部材１１３の構造を示す分解斜視図である。残余の係止部材１１４；１２３，１２４も、この係止部材１１３と同様に構成されるので、その説明を省略する。係止部材１１３は、持ち手２７の付け根部分２７１に引っ掛けられるチューブ１１３１と、基板１１１に形成された孔１１１３からチューブ１１３１の内部を挿通し、締結される結束バンド１１３２とを備えて構成される。チューブ１１３１には、たとえば金魚鉢でエアポンプからのエアの供給に使用されるチューブよりも少し太目のチューブを使用することができる。
【００５８】
したがって、結束バンド１１３２の締結によって、簡単に、該カバー１をバッグ２に後付けすることができる。また、結束バンド１１３２だけでも持ち手２７に基板１１１をぶら下げることは可能になるが、持ち手２７を傷付けたり、バッグ２の美観を大きく損なうので、該結束バンド１１３２にチューブ１１３１を被せておくことで、そのような美観の低下を抑え、或いは、場合によっては美観を向上することができる。結束バンド１１３２は、基板１１１，１２１を持ち手２７，２８；２７ａ，２８ａにぶら下げるにあたって、手軽に入手することができる既存の部品であるが、針金や、モールなどの他の同様の機能を有する部品が用いられてもよく、或いは該カバー１を販売するにあたって、より好適な部品を、別途製作してもよい。
【００５９】
さらに好ましくは、チューブ１１３１は透明に形成され、その内部には複数のビーズ玉１１３３が配置され、結束バンド１１３２は、このビーズ玉１１３３の孔を挿通していることである。このように構成することで、カバー１を締結するための結束バンド１１３２を目立たなくすることができ、装飾性をより向上することができる。また、ビーズ玉１１３３は、特にチューブ１１３１がひしゃげてしまうことを防止することができる。結束バンド１１３２を隠し、装飾性を持たせるために、ビーズ玉１１３３に代えて、結束バンド１１３２に布を巻いたりしてもよい。
【００６０】
ここで、基板１１１，１２１は、持ち手２７，２８から垂下がり、フラップ１１２，１２２の一端部（基端）１１２１，１２２１を支持できればよく、プラスチックの板などの所定の自己支持性（剛性）を有するものを用いることができる。或いは、装飾性を持たせるのであれば、チェーンなどを用いることもできる。
【００６１】
しかしながら、その自己支持性を有するもので、網戸などに用いられる網で形成されることが好ましい。その網を用いる場合、特に何層か積層することで、前記所定の自己支持性、つまり基板１１１，１２１としての剛性を発揮させ、へなへなのトートバッグ２の開口部２９を程良く支え、かつトートバッグ２の変形に沿って適度にしならせることができる。また、網は軽いので、トートバッグ２を床に置いた際に、該トートバッグ２が型崩れして折れたりすることを抑えることもできる。さらにまた、網の場合、布などから成るフラップ１１２，１２２を、針の孔などを形成すること無く、そのまま縫い付けたりすることができる。図１では、網戸用の網を折返して２層で使用しており、フラップ１１２，１２２の縫い目を参照符号１１９，１２９で示している。
【００６２】
また好ましくは、基板１１１，１２１の少なくとも一方（図１では１１１）の他端部１１１２には、アクセサリーのフック（鈎）孔１１７が形成されることである。このように構成することで、キーホルダーなどのアクセサリーを、このフック孔１１７に通しておくことで、該アクセサリーがバッグ２の底に潜り込んだりすることが無くなり、容易に捜し出すことができる。
【００６３】
そのフック孔１１７を利用するか、或いは基板１１１に面ファスナーやホックなどを設けて、図５のように、別の袋８を着脱自在としてもよい。この袋８は、内部に収容して、つまりフラップ１１２，１２２上に搭載して、日傘やペットボトル飲料、或いはスマートフォンや財布などの収容物を、直ぐに取り出せ、かつ開口部２９からこぼれ落ちないように保持することができる。
【００６４】
或いは、図５のように、袋８を、開口部２９を超えて外部に垂下させることで、雨傘９などのバッグ２の内部の収容物と一緒にしては問題のある物品を、必要に応じて、バッグ２の外部で保持することができ、好適である。したがって、着脱自在のこの袋８は、雨傘入れであることが特に好ましく、利便性を向上することができる。
【００６５】
上述のようなカバー１は、バッグ２とは別に販売されてもよいが、付属品として販売されてもよい。そうすることで、バッグ２の幅やマチ、さらに色や材質に合ったカバー１を備えることができ、バッグ２の商品価値を向上することができる。また、量産効果によって、該カバー１のコストダウンも図ることができる。
【００６６】
（実施の形態２）
図６は、本発明の実施の他の形態に係るトートバッグの開口部カバー（以下、カバーと言う）３をトートバッグ４に取付けた状態を示す斜視図である。このカバー３は上述のカバー１に類似し、対応する部分には同一の参照符号を付して、その説明を省略する。このカバー３も、左右の持ち手４７，４８にそれぞれ取付けられる一対のカバー部材３１，３２を備えて構成される。本実施形態のトートバッグ４は、比較的小さな布製で、バッグ本体４０に、左右の持ち手（把手）４７，４８を取付けて構成される。その小さく、布製のため、前記持ち手（把手）４７，４８は、バッグ本体４０と同種の布地を帯状にして、複数枚が縫い合わせて構成され、そのため、厚みが比較的薄い。
【００６７】
そこで、本実施形態のカバー３０では、係止部材１１３，１１４；１２３，１２４の代わりに、係止部材として、テープのような帯状体３１３，３２３が用いられる。基板３１１，３２１の一端３１１１，３２１１は、開口部４９を超えて帯状に外部に露出しており、つまり、該基板３１１，３２１は、開口部４９を超えて、少し長く（高く）形成されており、係止部材となる帯状体３１３，３２３は、この基板３１１，３２１の露出した部分に、外側から、持ち手４７，４８を挟み込んで貼付くようになっている。基板３１１，３２１の他端３１１２，３２１２には、フラップ１１２，１２２が取付けられる。本実施形態では、図２や図５のような、クリップ１１５，１２５は、用いられなくてもよい。
【００６８】
このように構成することで、基板３１１，３２１の一端３１１１，３２１１と帯状体３１３，３２３との粘着した間に、持ち手（把手）４７，４８の付け根部分（基端部）４７１，４８１が挟み込まれ、カバー３を簡単に取付けることができる。また、基板３１１，３２１が、持ち手４７，４８からズレ難く、壊れ難く、外部に対しても安全で（何処かに引っ掛かったりと言うような不具合もなく）、トートバッグ４の開口部４９を覆うことができる。
【００６９】
好ましくは、図６のカバー３では、帯状体３１３，３２３は、開口部４９の上側に、一定の幅で飛出すことになるので、その帯の幅に一致する（幅より狭い）リボン３１４，３２４による装飾が施されていることである。このリボン３１４，３２４、帯状体３１３，３２３、基板３１１，３２１およびフラップ１１２，１２２によって、一対のカバー部材３１，３２が構成される。これによって、開口部４９を覆うカバー３を後付けしても、トートバッグ４の美観を損なったり、違和感を与えたりすることを防止することができ、場合によっては、単体のバッグよりも商品価値を向上することができる。
【００７０】
基板３１１，３２１の一端３１１１，３２１１と帯状体３１３，３２３との貼付けは、接着剤に限らず、面ファスナーや、釦なども用いることができる。釦の場合、複数個を帯状体３１３，３２３に設けることで、リボン３１４，３２４を設けなくても、その釦自体で美観を得ることもできる。また、トートバッグ４の大きさが同じであれば、持ち手（把手）４７，４８の幅も略等しく、したがって釦の位置を同じにすることができ、釦付の基板３１１，３２１および帯状体３１３，３２３の種類がむやみに増えたりすることもない。
【００７１】
この図６のカバー３が取付けられるトートバッグ４は、上述のように、比較的小さな布製で、特に持ち手（把手）４７，４８も布製で、基板３１１，３２１と帯状体３１３，３２３との粘着に対して、比較的、接着剤（糊）は、取れ易い。しかしながら、皮の場合、接着剤（糊）がへばり付いたり、変質して、外した時に初期状態に復元できない可能性がある。そのため、このカバー３を用いるにあたって、図２のトートバッグ２や図３のトートバッグ２ａの場合、図７で示すようなシート３２５を用いることが好ましい。
【００７２】
シート３２５は、シリコン樹脂製の帯状のシートであり、断面が円状の持ち手２７，２８；２７ａ，２８ａに巻付けられ、帯の両端間が、ホチキスの針３２６で止められる。このシート３２５が、基板３１１，３２１と帯状体３１３，３２３との間の接着剤（糊）から、持ち手２７を隔離する。したがって、基板３１１，３２１および帯状体３１３，３２３と持ち手２７，２８；２７ａ，２８ａとが、直接貼付かないようにすることができ、接着剤（糊）で持ち手２７，２８；２７ａ，２８ａを汚さず、外せば、トートバッグ２，２ａを、取付け前の状態に戻すことができ、またシリコンシート３２５の摩擦力で、基板３１１，３２１および帯状体３１３，３２３が持ち手２７，２８；２７ａ，２８ａから滑らない（ズレない）ようにすることもできる。
【符号の説明】
【００７３】
１，３    トートバッグの開口部カバー（カバー）
１１，１２；３１，３２    カバー部材
１１１，１２１    基板
１１１１，１２１１    一端部
１１１２，１２１２    他端部
１１１３，１２１３    孔
１１２，１２２    フラップ
１１２１，１２２１    一端部
１１２２，１２２２    他端（先端）部
１１３，１１４；１２３，１２４    係止部材
１１３１    チューブ
１１３２    結束バンド
１１３３    ビーズ玉
１１５，１２５    クリップ
１１６，１２６    係合部材
１１７    フック（鈎）孔
１１９，１２９    縫い目
２，４    トートバッグ（バッグ）
２０，４０    バッグ本体
２１，２２；４１，４２    左右の側壁
２３，２４    前後の側壁
２５    底部
２７，２８；２７ａ，２８ａ；４７，４８    持ち手（把手）
２７１，２７２；２８１，２８２    付け根部分（基端部）
２９，４９    開口部
８    袋
９    雨傘
３１１，３２１    基板
３１３，３２３    帯状体
３１４，３２４    リボン
３２５    シリコン樹脂製のシート
【図１】
2020146343.tif 000003
【図２】
2020146343.tif 000004
【図３】
2020146343.tif 000005
【図４】
2020146343.tif 000006
【図５】
2020146343.tif 000007
【図６】
2020146343.tif 000008
【図７】
2020146343.tif 000009
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
トートバッグに後付け可能で、その開口部を覆うカバーであって、
左右の持ち手にそれぞれ係止される係止部材と、
前記左右両側の係止部材に一端がそれぞれ接続され、前記バッグの内側の両壁面に沿う一対の基板と、
前記基板の他端に一端が連結される一対のフラップとを備えて構成されることを特徴とするトートバッグの開口部カバー。
【請求項２】
前記基板を前記開口部の辺縁に固定するクリップを備えることを特徴とする請求項１記載のトートバッグの開口部カバー。
【請求項３】
前記係止部材は、前記持ち手に引っ掛けられるチューブと、前記基板に形成された孔から前記チューブの内部を挿通し、締結される結束バンドとを備えて構成されることを特徴とする請求項１または２記載のトートバッグの開口部カバー。
【請求項４】
前記チューブは透明に形成され、その内部には複数のビーズ玉が配置され、前記結束バンドは前記ビーズ玉の孔を挿通していることを特徴とする請求項３記載のトートバッグの開口部カバー。
【請求項５】
前記基板の一端は、前記開口部を超えて帯状に外部に露出し、
前記係止部材は、前記基板の前記露出した部分に、前記持ち手を挟み込んで貼付く帯状体から成ることを特徴とする請求項１記載のトートバッグの開口部カバー。
【請求項６】
前記帯状体には、帯の幅に一致するリボンによる装飾が施されていることを特徴とする請求項５記載のトートバッグの開口部カバー。
【請求項７】
前記持ち手における前記開口部の上方部分には、シリコン樹脂製のシートが巻付けられ、該シートが前記基板と帯状体との間に介在されて、それらを接着する接着剤から前記持ち手を隔離することを特徴とする請求項５または６記載のトートバッグの開口部カバー。
【請求項８】
前記基板は、網目で形成されることを特徴とする請求項１〜７の何れか１項に記載のトートバッグの開口部カバー。
【請求項９】
前記基板の他端には、アクセサリーのフック孔が形成されることを特徴とする請求項１〜８の何れか１項に記載のトートバッグの開口部カバー。
【請求項１０】
前記基板には、着脱自在の袋を増結可能であり、該袋はバッグの開口部を超えて外部に垂下することを特徴とする請求項１〜９の何れか１項に記載のトートバッグの開口部カバー。
【請求項１１】
前記請求項１〜１０の何れか１項に記載の開口部カバーを備えることを特徴とするトートバッグ。
【手続補正２】
【補正対象書類名】明細書
【補正対象項目名】０００８
【補正方法】変更
【補正の内容】
【０００８】
本発明のトートバッグの開口部カバーは、トートバッグに後付け可能で、その開口部を覆うカバーであって、左右の持ち手にそれぞれ係止される係止部材と、前記左右両側の係止部材に一端がそれぞれ接続され、前記バッグの内側の両壁面に沿う一対の基板と、前記基板の他端に一端が連結される一対のフラップとを備えて構成されることを特徴とする。